(57)【要約】【課題】近隣住人に精神的被害（嫌悪感）を与えることなく、安価で自然と融合した自然埋葬墓地構造及びこの構造を形成する自然埋葬方法並びにこれらの構造及び方法に用いられる紙製骨壺を提供する。【解決手段】骨壺１０は、土中の水分で溶ける水用紙で形成され、その中には粉状遺骨が入れられ、芝生ヤード１３に埋葬される。芝生ヤード１３の下方には、排水管１４がその長手方向を芝生ヤード１３の表面と略平行にして埋設されている。排水管１４の側面には多数の孔１４１が形成されている。この排水管１４の上方に骨壺１０を埋葬し、その上に自然芝生シート１６を載置する。排水管１４の長手方向に沿って、排水管１４の上方に多数の水溶紙製骨壺１０が埋設される。芝生ヤード１３の周囲には花壇２０が形成され、ここには結婚典礼で使用された花２１が植設される。【選択図】図３
2007111081.tif 000002
【特許請求の範囲】
【請求項１】
側面と底面とを有し該底面と対向する面が開口端である紙製筒状容器と、該筒状容器の該開口端の縁部と嵌合して該開口端を閉じる紙製蓋とを有することを特徴とする紙製骨壺。
【請求項２】
該筒状容器と該蓋とが水溶紙で形成されていることを特徴とする請求項１に記載の紙製骨壺。
【請求項３】
請求項１又は２の該筒状容器に粉状遺骨を入れて該筒状容器を該蓋で閉じ、
芝生ヤードの土中に該粉状遺骨の入った該骨壺を埋め、該該骨壺の上方を芝生で覆い、
該芝生ヤードの周囲に、水溶性容器内に植設された花束の該水溶性容器を埋めて花壇を形成することを特徴とする自然埋葬方法。
【請求項４】
該蓋を閉じる前に、該筒状容器内の粉状遺骨に植物の肥料を混入することを特徴とする請求項３に記載の自然埋葬方法。
【請求項５】
側面に孔が形成された配水管が長手方向を該芝生ヤードの表面と略平行にして該芝生ヤードに埋められており、
該配水管の上方に該配水管の長手方向に沿って該骨壺が該芝生ヤードの土中に並置されていることを特徴とする請求項４に記載の自然埋葬方法。
【請求項６】
該水溶性容器内に植設された花束は、結婚典礼で使用されたものであることを特徴とする請求項５に記載の自然埋葬方法。
【請求項７】
芝生ヤードと、
該芝生ヤードに埋め込まれ、水はけをよくする排水手段と、
側面に孔が形成され、長手方向を該芝生ヤードの表面と略平行にして該芝生ヤードに埋められた配水管と、
該排水手段と該芝生ヤードの表面との間の土中に複数並置され、各々に粉状遺骨が収納された請求項１又は２に記載の骨壺と、
該芝生ヤードの周囲に沿って形成された花壇とを有することを特徴とする自然埋葬墓地構造。
【請求項８】
該排水手段は、側面に孔が形成され、長手方向を該芝生ヤードの表面と略平行にして該芝生ヤードに埋められた配水管であり、
該骨壺は、該配水管の上方かつ該芝生ヤードの土中に該配水管の長手方向に沿って複数埋設されていることを特徴とする請求項７に記載の自然埋葬墓地構造。
【請求項９】
該排水手段は、長手方向を略垂直にして配置されるパイプの束であることを特徴とする請求項７に記載の自然埋葬墓地構造。
【請求項１０】
該花壇は、結婚典礼で使用された花束が水溶性容器内に植設され該水溶性容器が土中に埋め込まれて形成されたものであることを特徴とする請求項７乃至９のいずれか１つに記載の自然埋葬墓地構造。
【請求項１１】
該骨壺内の粉状遺骨に植物用肥料が混入されていることを特徴とする請求項７乃至１０のいずれか１つに記載の自然埋葬墓地構造。
【発明の詳細な説明】
【技術分野】
【０００１】
本発明は、人やペットの火葬後の遺骨を粉砕して得られる粉状遺骨を収容する紙製骨壺及びこれを用いた自然埋葬方法並びに自然埋葬墓地構造に関する。
【背景技術】
【０００２】
人口の高齢化が一層進んで、現在年間約１００万人の人が亡くなり、ピークは約１３０〜１５０万人に達すると予測されている。都市近隣地では既に墓地の適用地が欠乏しており、墓地価格高騰の原因となるとともに、墓地開発による森林伐採、環境破壊の問題も生じ、その技術的解決が期待されている。
【０００３】
また、戒名代数百万円、葬儀典礼代数百万円、墓代数百万円と、葬儀典礼が高騰化しているため、市民の約３割が「葬儀は要らない」、「勿論戒名は要らない」「墓は要らない」という調査結果が出ており、人間の尊厳の軽視、宗教心離れ、典礼離れを引き起こしている。
【０００４】
そこで、下記特許文献１には、樹木等が自生している限られた敷地の中で、潤いと、安らぎが醸成できる環境条件が得られるようにした噴水公園墓地噴水公園墓地が提案されている。
【０００５】
しかしながら、墓石を設ける分譲方式と堂内に骨壺を保存する納骨堂方式との組み合わせであり、遺骨を自然に帰すものではないため、上記問題を根本的に解決するものではない。
【０００６】
また、下記特許文献２には、ワールドストーンパーク（岩石パーク）区域と墓区域が融合された公園墓地設備が提案されている。
【０００７】
しかしながら、表示プレートに墓石等のアドバイスが記載され、また、骨壺に関しては記載がなく、遺骨を自然に帰すものではないため、上記問題を根本的に解決するものではない。
【０００８】
一方、自分の生命を支えてくれた自然へのお礼として、死後にはせめて骨だけでも大自然に帰したいと願う人が増え、散骨による自然葬が話題になっている。
【０００９】
しかしながら、山野への人やペットの散骨は、近隣住人に物理的被害を与えないものの、精神的被害（嫌悪感）を与えるという問題がある。
【特許文献１】特開２０００−２４０３２５号公報
【特許文献２】特開２００２−３４９０９７号公報
【発明の開示】
【発明が解決しようとする課題】
【００１０】
本発明の目的は、本発明者によるこのような問題点考察に基づき案出されたものであり、その目的とするところは、近隣住人に精神的被害（嫌悪感）を与えることなく、安価で自然と融合した自然埋葬墓地構造及びこの構造を形成する自然埋葬方法並びにこれらの構造及び方法に用いられる紙製骨壺を提供することにある。
【課題を解決するための手段】
【００１１】
本発明による紙製骨壺の第１態様では、側面と底面とを有し該底面と対向する面が開口端である紙製筒状容器と、該筒状容器の該開口端の縁部と嵌合して該開口端を閉じる紙製蓋とを有する。
【００１２】
このような紙製骨壺に、人やペットの遺体を火葬した後の遺骨を粉砕したものを入れ、土中に埋葬すれば、安価で埋葬でき、また、雨水で紙製骨壺が自然破壊され、粉状遺骨に雨水が通って粉状遺骨が溶け、土中に浸透し、やがて土に帰るので、近隣住人に精神的被害（嫌悪感）を与えることなく、自然と融合する。
【００１３】
本発明による紙製骨壺の第２態様では、第１態様において、該筒状容器と該蓋とが水溶紙で形成されているので、紙製骨壺がより早く土中の水分で溶け、早期に土に帰ることができるとともに、その部分に新たに埋葬できる周期が短くなって、より安価に埋葬可能となるとともに、墓地不足をより解消できるので、新たな墓地開発による自然破壊の進行を防ぐことが可能となる。
【００１４】
本発明による自然埋葬方法の第１態様では、
上記第１又は２態様の該筒状容器に粉状遺骨を入れて該筒状容器を該蓋で閉じ、
芝生ヤードの土中に該粉状遺骨の入った該骨壺を埋め、該該骨壺の上方を芝生で覆い、
該芝生ヤードの周囲に、水溶性容器内に植設された花束の該水溶性容器を埋めて花壇を形成する。
【００１５】
このような芝生ヤードは、公園としても利用可能である。
【００１６】
本発明による自然埋葬方法の第２態様では、前記第１態様において、該蓋を閉じる前に、該筒状容器内の粉状遺骨に植物の肥料を混入する。
【００１７】
この構成によれば、埋葬された紙製骨壺の上方の花などの植物に栄養分が供給され、自然との融合がより高められる。
【００１８】
本発明による自然埋葬方法の第３態様では、前記第２態様において、
側面に孔が形成された配水管が長手方向を該芝生ヤードの表面と略平行にして該芝生ヤードに埋められており、
該配水管の上方に該配水管の長手方向に沿って該骨壺が該芝生ヤードの土中に並置されている。
【００１９】
この構成によれば、雨水により厚紙製骨壺が分解され、粉状遺骨を通った雨水は下方の排水管を通るので、芝生ヤードの水はけが良くなり、近隣住民に嫌悪感を与えるのをさらに防止することが可能となるとともに、芝生ヤードの公園的価値がさらに高められる。
【００２０】
本発明による自然埋葬方法の第４態様では、前記第３態様において、該水溶性容器内に植設された花束は、結婚典礼で使用されたものである。
【００２１】
この構成によれば、結婚典礼で使用された花束が有効利用されるとともに、先祖を敬う心が育まれる。
【００２２】
本発明の他の目的、構成及び効果は以下の説明から明らかになる。
【実施例１】
【００２３】
図１（Ａ）は、本発の一実施例の厚紙製骨壺１０を示す斜視図である。図１（Ｂ）及び（Ｃ）はそれぞれ、この厚紙製骨壺１０を構成する筒状容器１１及び蓋１２の縦断面図である。
【００２４】
厚紙製骨壺１０は、土中の水分で溶ける水用紙で形成されている。この厚紙製骨壺１０は、円筒状側面と底面とを有し、該底面と対向する面が開口端である筒状容器１１と、該開口端の縁部と嵌合して該開口端を閉じる蓋１２とからなる。骨壺１０のサイズは例えば、外径１３０ｍｍ×高さ２００ｍｍ、内径１２３ｍｍである。
【００２５】
厚紙製骨壺１０内には、火葬場で遺骨が入れられ、その後、埋葬前にこの遺骨が厚紙製骨壺１０から取り出され、粉砕されて例えば粒径約２ｍｍ以下の粉状物にされ、厚紙製骨壺１０内に戻される。
【００２６】
粉状遺骨の入った厚紙製骨壺１０は、図２に示すような芝生ヤード１３に埋葬される。この場所は、都市近郊から離れた、地価が安価で風光明媚な山間リゾートが好まく、近くに宿泊施設があればさらに好ましい。後述の理由から、結婚典礼施設があればさらに好ましい。
【００２７】
図３に示す如く、芝生ヤード１３の下方には、排水管１４がその長手方向を芝生ヤード１３の表面と略平行にして埋設されている。排水管１４の側面には多数の孔１４１が形成されている。この排水管１４の上方に、図４に示す如く穴１５を掘ってこの中に、粉状遺骨の入った厚紙製骨壺１０を入れ、その上に土をかぶせて穴１５を埋め、表面を平らにし、その上に矩形の自然芝生シート１６を載置する。
【００２８】
図３に示す如く、排水管１４の長手方向に沿って、排水管１４の上方に多数の厚紙製骨壺１０が埋設される。排水管１４は、雨水が自然に流れる傾斜地まで延設されている。
【００２９】
このようにすれば、雨水により厚紙製骨壺１０が分解され、粉状遺骨を通った雨水は下方の排水管１４を通るので、芝生ヤード１３の水はけが良くなり、近隣住民に嫌悪感を与えるのを防止することが可能となるとともに、芝生ヤード１３を公園としても利用可能である。
【００３０】
粉状遺骨は雨水により溶け、土中に浸透する。粉状遺骨は、リン酸カルシウムが主成分であり、無害であるとともに、植物の肥料として役立つ。
【００３１】
生前に死後は土に帰ることを望む人の遺骨を粉状にして埋葬するので、芝生ヤード１３上には墓石を設けない。
【００３２】
また、図３に示す排水管１４及びその上方の多数の厚紙製骨壺１０は、１つの芝生ヤード１３の地下に複数列配設され、そのピッチは例えば図３に示す厚紙製骨壺１０のピッチに略等しい。さらに、このように埋葬された粉状遺骨は、数年で溶けて土と融合するので、その部分には他の厚紙製骨壺１０を再度埋葬することが可能となる。
【００３３】
したがって、墓地をさらに安価に提供することが可能となる。また、森林伐採等による自然破壊の進行を止める事ができる。
【００３４】
どの部位に何時骨壺１０が埋葬されたかは墓地管理人により記録されており、埋葬可能な部分に新たに埋葬される。
【００３５】
矩形の芝生ヤード１３の周囲には、花壇２０が形成されている。この花壇２０には、結婚典礼で使用された花２１を植設するのが好ましい。花２１は、図５に示す如く、水溶紙製容器２２内の土に植えられており、この水溶紙製容器２２が図２の花壇２０に植設される。
【００３６】
宗教と無関係に先祖を敬うことを助長する為に、芝生ヤード１３の外側には、芝生ヤード１３に連なるセレモニーステージ３０が設けられ、特定の宗教に限定されない典礼を行うことが可能となっている。また、近くに不図示のモニュメントが設けられている。
【実施例２】
【００３７】
図６は、本発明の実施例２の厚紙製骨壺１０の使用法を示す。この例では、筒状容器１１内の粉状遺骨に、埋葬部上方の植物に応じた肥料が混入されている。これにより、図７に示す如く、埋葬された厚紙製骨壺１０の上方の花２１に養分が与えられ、また、厚紙製骨壺１０内へ植物の根２３が進入し易くなる。このような肥料が混入された紙製骨壺１０は、図２の花壇２０の下方に埋設してもよい。
【実施例３】
【００３８】
図８は、本発明の実施例３の、図３の排水管１４の代わりに用いられるハニカム状パイプ束１４Ａを示す。このハニカム状パイプ束１４Ａは、紙、竹、又は陶器などで形成されたパイプ１４Ａ１を多数束ねたものであり、図３の厚紙製骨壺１０の下方に配設される。なお、図３において、厚紙製骨壺１０と排水管１４との間にハニカム状パイプ束１４Ａを配設する構成であってもよい。
【００３９】
なお、本発明には外にも種々の変形例が含まれる。例えば、上記実施例では遺骨が人骨の場合を説明したが、本発明はペットの遺骨についても適用できる。
【図面の簡単な説明】
【００４０】
【図１】（Ａ）は本発の一実施例の厚紙製骨壺を示す斜視図、（Ｂ）及び（Ｃ）はそれぞれ、この厚紙製骨壺を構成する筒状容器及び蓋の縦断面図である。
【図２】自然埋葬墓地を示す斜視図である。
【図３】芝生ヤードの下方の構造を示す縦断面図である。
【図４】埋葬時の状態を示す斜視図である。
【図５】結婚典礼で使用された後、花壇に植設される、水溶紙製容器内に植設された花束を示す斜視図である。
【図６】本発明の実施例２の厚紙製骨壺の使用法説明図である。
【図７】この骨壺が埋葬された状態を示す縦断面である。
【図８】本発明の実施例３の、図３の排水管の代わりに用いられるハニカム状パイプ束を示す斜視図である。
【符号の説明】
【００４１】
１０  厚紙製骨壺
１１  筒状容器
１２  蓋
１３  芝生ヤード
１４  排水管
１４１  孔
１４Ａ  ハニカム状パイプ束
１４Ａ１  パイプ
１５  穴
１６  芝生シート
２０  花壇
２１  花
２２  水溶紙製容器
３０  セレモニーステージ
【図１】
2007111081.tif 000003
【図２】
2007111081.tif 000004
【図３】
2007111081.tif 000005
【図４】
2007111081.tif 000006
【図５】
2007111081.tif 000007
【図６】
2007111081.tif 000008
【図７】
2007111081.tif 000009
【図８】
2007111081.tif 000010